(57)【要約】【課題】歯科用インプラントに用いるための三次元関節バーを提供する。【解決手段】歯科用インプラントに用いるため、３平面において関節でつなげられたバーは、三次元、即ち、３つの幾何学的平面の動き（Ｘ，Ｙ，Ｚ）を可能したバー１を含む移動構造体からなる。これは、退縮可能なアーム２,３によって可能になり、コーピング（スタッド）６にアームを固定するためのカラー４,５に関連してある角度αで移動可能である。前記アーム２,３とカラー４,５は、凹面７と球面８の接続具を備える端部を有し、アームとカラーの数、角度、インプラント間の距離、さらに、咬合面間の距離がどのようであろうとも、ほとんど全ての形式のインプラントに適合する製品を形成する。設計上の変形例では、主張されたバーは、コーピング６の接続具７,８から直接導かれたアーム２,３を有する。【選択図】図１
2013505085.tif 000002
【特許請求の範囲】
【請求項１】
歯科用インプラントに用いるための三次元関節バーであって、
伸縮可能なアーム（2,3）の組によって形成され、一方のアーム（2）は、他方の補完アーム（3）に対して進退可能に嵌合する延長部（13）を有し、該延長部（13）は、ねじ（15）を受け止めるのに適した波形仕上げ（14）に作られ、前記アーム（2,3）の組は、端部が凹面接続具（7）または別の球面接続具（8）の一方または両方を備え、スタッド（6）の固定リング（4,5）が、前記バー（1）の中間リングとして２つの前記アーム間に連結され、
前記球面接続具（8）の端部が、凹面チャネル仕上げ（16）または不定形のチャネル（17）を備える構造により、前記アーム（2,3）と前記固定リング（4,5）の間で回転または関節接合でき、更に、前記インプラント（9）に対して前記バー（1）を調整でき、前記アーム（2,3）の間隔（Ｅ）を増減することを可能にしたことを特徴とする三次元関節バー。
【請求項２】
中間部と外端部に位置する前記リング（4,5）は、支持用ブレース（18）を受け止めることを特徴とする請求項１に記載の歯科用インプラントに用いるための三次元関節バー。
【請求項３】
関節を有する前記バー（1）は、前記スタッド（6）の上部タブ（Ａ）に固定され、該上部タブ（Ａ）は、垂直調整のためのワッシャー（19）が付け加えられ、適切なレベル調整の後、全体のセットが上部ナット（20）によって固定されることを特徴とする請求項１に記載の歯科用インプラントに用いるための三次元関節バー。
【請求項４】
関節のある前記バー（1）、前記スタッド（6）、ワッシャー（19）、ナット（20）、及びねじ（11,15）によって構成される構造体を有していることを特徴とする請求項１に記載の歯科用インプラントに用いるための三次元関節バー。
【請求項５】
構造的変形例において、前記バー（1）は、前記スタッド（6）から直接導かれるアーム（2,3）を有することを特徴とする請求項１に記載の歯科用インプラントに用いるための三次元関節バー。
【請求項６】
前記スタッド（6）に直結された密閉型の接続具（Ｅ’）に、前記アーム（3）の外端部を接続し、前記アーム（3）の孔（21）に、延長部（13）の固定ねじ（15）を受入れ、前記密閉型の接続具（Ｅ’）は、固定ねじ（15）を受け入れる別の孔（22）を備えることを特徴とする請求項５に記載の歯科用インプラントに用いるための三次元関節バー。
【請求項７】
前記スタッド（6）は、オブロング（24）を有する支持体（23）を有することを特徴とする請求項５に記載の歯科用インプラントに用いるための三次元関節バー。
【発明の詳細な説明】
【技術分野】
【０００１】
本発明の要求するところは、歯科用インプラントに用いる、未加工の三次元関節のあるバーに関し、特に、３つの幾何学的平面において、関節でつながれた手段を有する関節のあるバーに関する。
【背景技術】
【０００２】
このバーは、歯科用インプラント上に人工関節を作るように設計され、機械的または化学的に固定する方法を強固にした後、インプラントの数、インプラント間の角度、距離、及び咬合面間の高さに係わらず、生体力学の多くの場合に、インプラント上の人工関節が適合する。
【０００３】
技術的に、インプラント歯科は、歯科用インプラントに関する歯科学を専門としており、この技術は、骨の統合に関する第１研究に直接関連して、長年にわたり信じられない進化を遂げてきた。この技術は、歯科要素の全体又は一部分の欠落を示す患者の治療に対して設定されている。
【０００４】
現在、このような領域に係わる専門家は、安定した機能でかつ美的復旧を与えるための条件を有しており、初期的に固定の義歯を有することを望まない患者に対して、信頼性のある心地よい形で自分の口を保つことができるようにしている。
【０００５】
基本的に、歯科用インプラントは、生体適合性のある材料で円筒形状に構成され、患者の上顎または下顎内に配置され、数ヶ月間の後、骨を統合した後に、新しい歯が固定される。要約すると、インプラントは、失った元歯の根の置き換えとして作用する。
【０００６】
一般的に、インプラントは、２つのステップで完成される。第１のステップは、外科的段階であり、チタン製のインプラントが、患者の骨内に設置される。第２のステップは、骨の統合後、人工関節の支柱を設置するために、インプラント上端部を露出させて、インプラント上に研究室段階又は人工関節の段階を開始しながら、マイクロ手術が行われる。
【０００７】
より保守的な現状の段階では、人工関節の段階は、単純な成形で処理され、咬合記録に先立って、インプラントピン又は伸張部分にモールドを用いて特定のフレームワークを形成する。この材料は、義肢装具士に渡り、そして、人工装具の基台および／または長手方向の固定法として役立つであろう金属製構造体の形で戻ってくる。
【０００８】
二分された形式の構造体として、樹脂によって中央部分が結合され、歯科医師が、インプラントのピンに関連するこのような構造体の正しい調整を行うことができるように、より多くの平易さを提供することを目的としている。
【０００９】
一旦、調整が行われると、関連した金属製構造体は、義肢装具士に再び戻される。インプラントに用いるための人工関節を完了させる。
【発明の概要】
【発明が解決しようとする課題】
【００１０】
これまでの記述から明らかなように、従来のこの手順は、義肢装具士へ行き来することにより少々骨の折れる作業であり、それに加えて、満足な最終結果を得るためにいくつかの調整を必要とする。
他方、一般的に、人工関節における成形誤差、技術的誤差、溶接による、ゆがみ、誤った適合、変形等がある。
【００１１】
外科医をインプラントに向かわせることができるツールを有することが最先端の部分であり、そのために、低価格の人工関節のチタンバーが必要である。そして、その孔あけも、下顎のプロトコルに従う方法でインプラントの組立に一致することが必要である。
【００１２】
インプラントを作る方法も、人工関節の専門家に対して金属製構造体を前後に移動させて速度を速めるが、例えば、第１の咬合記録における困難性等のいくつかの作業的に不都合な面もある。また、別の否定的な面から、案内装置があるにもかかわらず、インプラントピン上に予め組立られたバーを配置するとき、いくつかの干渉が起こる。
【００１３】
ＰＩ０４０３４７５−９では、上記構成および市場で通常見出される他のモデルに関係する利便性及び性能を改善する目的で、上述したもの、及び元の構造的配置に与えたものを変更したいという要求がある。インプラントを使用するための、一組のツール及び接続具を構成する場合に、直接ねじ止めされる全体的にチタン製のバーと、セメント接合のためのリングを備えたバーとを含み、さらに、ガイド径に従うミーリングカッター用の色付けされた置換可能なガイド、正規の径を有する付属品とミーリングカッター、高さを定める（金属製の外科用バーの厚さを考慮しかつ減少させる）特別なもの、内側六角形接続具、及び外側六角形接続具を含んでいる。
【００１４】
そのギャップ及び制限に関する最先端技術を知ると、このセグメントを作動できるようにした発明者は、研究及び調査の後、歯科用インプラントに用いる三次元の関節があるバーを作り出した。
【課題を解決するための手段】
【００１５】
この問題となる歯科用インプラントは、移動構造体、または生体力学の関節のあるバーを与え、機械的又は化学的にスタッドに強固になるように固定した後、三次元の動きを伝える自由度を備え、さらに、インプラントの数、角度、それらの間の距離及び導入部の高さに係わらず、ほとんどの場合容易に適合できる。
【００１６】
それゆえ、人工関節用の支持体として役立つ外科的構造体は、人工装具に向かう場所から、診療所内で限定的な方法でフォーマット化される。構造的変形例では、この関節でつながれたバーは、破壊することまたはスタッドに統合することもでき、その場合、固定リングを必要としない。
【００１７】
患者の不適切な動き又は医師によって実行されたステップでの不正確さによるものであろうとなかろうと、種々の変形及び置換がインプラントの設置の手順中に共通している。
【００１８】
基本的に、本願の製品は、凹面又は球面の端部を有する伸縮可能なアームによって形成され、これらの端部は、スタッドに固定される複数のリングの先端に相互に適合可能である。これにより、スタッド、即ち、コーピングは、パテラ（浅いなべ）のような動きをすることができる。上述したように、構造的変形例では、伸縮可能アームは、スタッドから直接導くことができる。この場合、リングは必要としない。
【００１９】
ここに主張するバーは、最も有効な以下の利点を備えている。
・診療所内で、または人工装具の工程中に、インプラントの処理手順の中で、より実用的であること、
・少ない数の部品で、口腔内の取り扱いを容易にすること、
・外科手術および／または処理手順の時間が少なくなること、
・人工関節の調整がより正確かつスピード化されること、
・最良の適合を得ること、
・より低価格であること、
・専門家の手腕によることなく、処理手順の容易性が得られること、
・多くの歯科の場合で、その利用に責任を負えること、
本発明は、以下の説明的及び限定されない形式において、関連した図面を通してより良く説明されるであろう。
【図面の簡単な説明】
【００２０】
【図１】歯科用インプラントに取り付けられる三次元関節バーの正面図である。
【図２】上記インプラントに関連して分解組立図で示したスタッドに取り付けた歯科用インプラントに用いるための三次元関節バーから見た斜視図である。
【図３】インプラント、スタッド、ナット、ワッシャー、及びねじに関連して分解組み立てられた、歯科用インプラントに用いるための三次元関節バーの正面図である。
【図４】インプラント、スタッド、ナット、ワッシャー、及びねじに関連して分解組み立てられた、歯科用インプラントに用いるために３平面上にある関節バーの斜視図を視覚化し、リングと支持用ブレースの固定法を詳細に示す図である。
【図５】スタッドの正面図とその上側から見た平面図である。
【図６】端部リングの正面図とその平面図である。
【図７】中間リングの正面図とその平面図である。
【図８】伸縮アームの詳細な動きを示す一部断面で見た正面図である。
【図９】球面端部を有するアーム間の調整と固定を示す断面図である。
【図１０】異なる端部を有する別の構造配置における関節バーの断面図である。
【図１１】関節バーで作られた人工関節の利用を示す概略斜視図である。
【図１２】スタッドから導かれる構造的変化を示す、歯科用インプラントを用いるための三次元関節バーの斜視図である。
【図１３】外部アーム上の封入された球面取付けと調整とを有するスタッドから直接導かれる第２の構造的変化を示す、歯科用インプラントに用いるための三次元関節バーの斜視図。
【図１４】外部アーム上の封入された球面取付けと調整とを有するスタッドから直接導かれる第２の構造的変化を示す、歯科用インプラントに用いるための三次元関節バーの分解組立図。
【図１５】外部アーム上の封入された球面取付けと調整とを有するスタッドから直接導かれる第２の構造的変化を示す、歯科用インプラントに用いるための三次元関節バーの断面図。
【図１６】人工関節（カンチレバー）の支持体のためのブラケットを備えるスタッドの上面図である。
【発明を実施するための最良の形態】
【００２１】
本発明の特許請求の範囲に記載の歯科用インプラントに用いるための三次元関節バーは、３次元（Ｘ，Ｙ，Ｚ）の移動が可能なバー１からなる移動構造体であり、３次元の平面上に、伸縮可能な関節(α）を有するアーム２,３によって、スタッド６の固定リング４,５に対して移動可能になっている。このようなアーム２,３とリング４,５は、凹面接続具７および／または球面接続具８を端部に有し、かみ合い高さと同様に、これらの量、角度、及び距離に係わらず、ほとんど全てのインプラントに適合する製品を形成する。
構造的な変形例では、主張されたバーは、スタッド６自体の接続具７または８から導かれるアーム２,３を有する。
【００２２】
インプラント９は、下顎骨および／またはあご内に挿入されるフランジ１０を有するチタン製の円筒部分からなり、人工関節Ｐを受け入れて固定するのに役立つ。このようにインプラント９を患者の骨に組み付けた後、外科医は、インプラント９の上端部に適合する、好ましくは、ねじ１１によって固定されるスタッド６を挿入する。このようなスタッド６は、人工関節の構造部分の固定リング４,５と同軸の軸線に沿って、等しく上部フランジ１２を与える。この場合、関節バー１又はその他のものは、化学的ステッカー用の平面仕上げを有することができる。
【００２３】
特に、関節バー１は、伸縮可能なアーム２,３の組によって形成され、そのアーム２には、補完アーム３に進退動可能に嵌合する延長部１３を有して、歯の開閉を可能にすることができる。延長部１３は、ねじ１５を受け止めるのに適合した波形仕上げ１４を形成して、所望の位置に固定することができる。アーム２,３の組は、端部に凹面接続具７と別の球面接続具８の一方または両方を常に備える。これは、スタッド６に設けた固定リング４,５に関連したアーム２,３を関節(α）係合で連結することが必要となる。例えば、アーム２,３は、凹面接続具７と球面接続具８の一方または両方を備えている。
【００２４】
他方、バー１は、２つのアーム２,３にそれぞれ連結する中間リング４を備え、球面端部８の構造により、その端部が、凹部チャネル仕上げ１６、または、不定型なチャネル１７に連結され、アーム２,３及びリング４,５の間で円形および／または関節接合することが可能である。アーム及びリングは、インプラント９がいずれの位置にあっても連結することができるであろう。インプラント９に対するバー１の完全な調整、及びアーム２,３の間隔Ｅを増減することができるようにする。
【００２５】
この方法は、図面上のバー１が、３つの幾何学的平面（Ｘ，Ｙ，Ｚ）上にあり、３次元の動きが可能な自由度を備えていることである。そして、リング４または５は、支持用ブレース１８を受け止め、バー１の初期部分に対してより支持力を与えることができる。最後に、関節バー１は、スタッド６の上部タブＡに定着する。スタッドは、垂直調整のためワッシャー１９が付加され、正しいレベル調整の後、上部ナット２０によって全体のセットが固定される。
【００２６】
構造的な変形例では、バー１は、スタッド６から直接導かれるアーム２,３を有し、リング４,５を用いる必要がない。
【００２７】
第２の変形例では、バーは、スタッド６に直接密閉型の接続具Ｅ’に挿入されるアーム２,３を有し、その外側アーム３は、アーム２の延長部１３に固定ねじ１５を受け入れるための複数の孔２１を有する。この結果、歯の調整を可能にする。外側アーム３と同様に、密閉型の接続具Ｅ’は、固定ねじ１５を受け入れるための孔２２を備える。
【００２８】
最後に、スタッド６は、樹脂で満たされたオブロング（長方形）２４を有する支持体２３を備える。人工関節を固定するために、この支持体は、またカンチレバーとして名付けられる。
【００２９】
このようにして、診療所内で形成されるこの構造は、関節のあるバー１、スタッド６、ワッシャー１９、ナット２０、及びねじ１１,１５又は正しい接続具７,８または支持体２３を備えるスタッド６のみが、人工関節を作るステップに到達し、容易にかつ適切に調整される。
【図１】
2013505085.tif 000003
【図２】
2013505085.tif 000004
【図３】
2013505085.tif 000005
【図４】
2013505085.tif 000006
【図５】
2013505085.tif 000007
【図６】
2013505085.tif 000008
【図７】
2013505085.tif 000009
【図８】
2013505085.tif 000010
【図９】
2013505085.tif 000011
【図１０】
2013505085.tif 000012
【図１１】
2013505085.tif 000013
【図１２】
2013505085.tif 000014
【図１３】
2013505085.tif 000015
【図１４】
2013505085.tif 000016
【図１５】
2013505085.tif 000017
【図１６】
2013505085.tif 000018
【国際調査報告】
2013505085.tif 000019
2013505085.tif 000020
2013505085.tif 000021
2013505085.tif 000022